(57)【要約】【課題】雑誌などの書籍状の収納物が適切に保持される簡易な構成による収納保持手段を備える手提げ袋を提供すること。【解決手段】上縁部が全体に渡って広く開く布製などの手提げ袋において、雑誌などの書籍状の収納物が、挿入された状態で揺れ動くことが防止されて保持できると共に袋本体の全体としては広く開くことを許容できるように、前記書籍状の収納物が差し入れられるように設けられた鉄製などの楕円形の輪が、袋本体の深さ方向の中途部で袋本体を構成する表裏の布状材の一方の側の内面に固定された状態であって、前記表裏の布状材の他方の側の内面には固定されない状態で配されている。【選択図】図１
0003162995.tif 000002
【実用新案登録請求の範囲】
【請求項１】
上縁部が全体に渡って広く開く布製などの手提げ袋において、
雑誌などの書籍状の収納物が、挿入された状態で揺れ動くことが防止されて保持できると共に、袋本体の全体としては広く開くことを許容できるように、前記書籍状の収納物が差し入れられるように設けられた鉄製などの楕円形の輪が、袋本体の深さ方向の中途部で袋本体を構成する表裏の布状材の一方の側の内面に固定された状態であって、前記表裏の布状材の他方の側の内面には固定されない状態で配されていることを特徴とする手提げ袋。
【請求項２】
前記楕円形の輪は、鉄製の線材によってリング状に形成されていることを特徴とする請求項１記載の手提げ袋。
【請求項３】
前記楕円形の輪は、前記表裏の布状材の一方の側の内面に糸で縫い付けることで固定されており、その縫い付け部の縫い目を隠すように布材の外面にワッペンなどの覆い部材が配されていることを特徴とする請求項１又は２記載の手提げ袋。
【考案の詳細な説明】
【技術分野】
【０００１】
本考案は、上縁部が全体に渡って広く開く布製などの手提げ袋に関する。
【背景技術】
【０００２】
従来のエコバックなどの買い物袋として使用されるような簡単な構成の手提げ袋にあっては、上縁部が全体的に開いている単純な袋本体と、その袋本体の表裏の上端部に固定されて持ち手になる一対の提げ紐とによって構成されている。
【０００３】
上記のような単純な形状の手提げ袋に対して、本体袋の開口部近傍の内面側に、ストラップや紐やベルトや鎖や係止具等を引掛けることの出来る鉤状の鉤型具を取り付け、形態電話やキー類や小物入れ等のストラップ、紐、鎖、係止具等を引っ掛けて吊下げて保持する鉤型具を備えた袋状物が開示されている（特許文献１参照）。
【０００４】
また、平板状の基盤面にポケット用の貼着片を貼り付けてポケットを形成するポケット構造を備え、多数の紙片や箱状の品物などを収納することが可能になる簡易手提げ袋が開示されている（特許文献２参照）。
【先行技術文献】
【特許文献】
【０００５】
【特許文献１】実用新案登録第３０８４７７７号公報（第１頁）
【特許文献２】実用新案登録第３０８８２１５号公報（第１頁）
【考案の概要】
【考案が解決しようとする課題】
【０００６】
手提げ袋に関して解決しようとする問題点は、簡単な構成の手提げ袋について、雑誌などの書籍状の収納物が適切に保持される簡易な構成による収納保持手段が提案されていないことにある。
そこで本考案の目的は、簡易な構成からなる収納保持手段によって、雑誌などの書籍状の収納物が適切に保持できる手提げ袋を提供することにある。
【課題を解決するための手段】
【０００７】
本考案は、上記目的を達成するために次の構成を備える。
本考案にかかる手提げ袋の一形態によれば、上縁部が全体に渡って広く開く布製などの手提げ袋において、雑誌などの書籍状の収納物が、挿入された状態で揺れ動くことが防止されて保持できると共に、袋本体の全体としては広く開くことを許容できるように、前記書籍状の収納物が差し入れられるように設けられた鉄製などの楕円形の輪が、袋本体の深さ方向の中途部で袋本体を構成する表裏の布状材の一方の側の内面に固定された状態であって、前記表裏の布状材の他方の側の内面には固定されない状態で配されている。
【０００８】
また、本考案にかかる手提げ袋の一形態によれば、前記楕円形の輪は、鉄製の線材によってリング状に形成されていることを特徴とすることができる。
【０００９】
また、本考案にかかる手提げ袋の一形態によれば、前記楕円形の輪は、前記表裏の布状材の一方の側の内面に糸で縫い付けることで固定されており、その縫い付け部の縫い目を隠すように布材の外面にワッペンなどの覆い部材が配されていることを特徴とすることができる。
【考案の効果】
【００１０】
本考案にかかる手提げ袋によれば、簡易な構成からなる収納保持手段によって、雑誌などの書籍状の収納物が適切に保持できるという特別有利な効果を奏する。
【図面の簡単な説明】
【００１１】
【図１】本考案にかかる手提げ袋の形態例を示す斜視図である。
【考案を実施するための形態】
【００１２】
以下、本考案にかかる手提げ袋の形態例を添付図面（図１）に基づいて詳細に説明する。
この手提げ袋１０は、上縁部１２が全体に渡って広く開く布製又はそれに類似する材料によって設けられた簡単な構成のバッグである。なお、１１は下げ紐である。
【００１３】
この手提げ袋１０では、図に示すように、雑誌などの書籍状の収納物５０（図面上において二点鎖線で表示）が、挿入された状態で揺れ動くことが防止されて保持できると共に、袋本体２０の全体としては広く開くことを許容できるように、書籍状の収納物５０が差し入れられるように設けられた鉄製などの楕円形の輪３０が、袋本体２０の深さ方向の中途部で袋本体２０を構成する表裏の布状材２１、２１の一方の側の内面に固定された状態であって、表裏の布状材２１、２１の他方の側の内面には固定されない状態で配されている。
【００１４】
これによれば、通常のサイズの買い物袋において、例えばＡ４サイズ程度の雑誌（２冊程度）などの収納物が散乱しないように適切に保持できる。従って、その収納物について、型崩れを防止でき、袋内で好適に整理された状態に収納できる。
そして、表裏の布状材２１、２１の他方の側には固定されていないため、袋本体２０の全体としては広く開くことができ、他の収納物を適切に収納することができる。
【００１５】
本形態例の楕円形の輪３０は、鉄製の線材によってリング状に形成されている。例えば、ピアノ線のような鋼材からなる直径３ｍｍ程度の線材を曲げて、閉ループ状になるように形成したものを用いることができる。また、この楕円形の輪３０とは、図に示すように、完全な楕円形によって形成されているものに限定されないのは勿論である。例えば、袋本体２０における両方の袋脇部２２、２２近傍の内部に位置する部分となる各端部が丸められた形状であるとよい。
【００１６】
各端部が丸められた形状であることで、袋本体２０を構成する表裏の布状材２１、２１を傷つけることがなく、楕円形の輪３０を袋内に好適に配することができる。なお、上縁部１２の開口面と、楕円形の輪３０によって形成されるリング内開口面とは、図に示すように平行な関係であり、必然的に書籍状の収納物５０による挿入方向は同一方向となる。
【００１７】
また、楕円形の輪３０は、表裏の布状材２１、２１の一方の側の内面に糸で縫い付けることで固定されており、その縫い付け部の縫い目３５を隠すように布材の外面にワッペンなどの覆い部材を配してもよい。覆い部材はワッペンに限定されるものではなく、例えば、小さな袋などを、縫い付けや接着などによって配してもよい。
これによれば、楕円形の輪３０を袋本体２０に確実に固定することができると共に、表面を綺麗に見せることができる。
【００１８】
また、本形態例では、楕円形の輪３０の両端部が、袋本体２０における両方の袋脇部２２、２２の内部に固定された構造となっている。
これによれば、楕円形の輪３０が、袋本体２０内に揺れ動かないように効果的且つ確実に固定され、書籍状の収納物５０を適切に保持できる。
また、手提げ袋１０を提げた際に、袋本体２０内で書籍状の収納物５０が挿通しやすいように、楕円形の輪３０の固定されていない側が浮いた状態になり、使用しやすいという効果がある。
【００１９】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２０】
１０  手提げ袋
１１  下げ紐
１２  上縁部
２０  袋本体
２１  布状材
２２  袋脇部
３０  楕円形の輪
３５  縫い目
５０  収納物
【図１】
0003162995.tif 000003